(57)【要約】【課題】トレーニングメニューを修正するユーザーの手間を軽減可能な情報処理装置、情報処理システム、及び情報処理方法を提供すること。【解決手段】画像処理装置１０は、予め設定されるメニュー情報に含まれる一又は複数のトレーニング項目についてのトレーニングの実施後にユーザーにより選択される前記トレーニング項目ごとの評価内容を示す評価情報を取得する取得処理部１５９と、前記メニュー情報と取得処理部１５９によって取得された前記評価情報とに基づいて前記メニュー情報を変更可能な変更処理部１６０と、変更処理部１６０によって変更された前記メニュー情報を出力する出力処理部１５４と、を備える。【選択図】図１
2018173737.tif 000002
【特許請求の範囲】
【請求項１】
予め設定されるメニュー情報に含まれる一又は複数のトレーニング項目についてのトレーニングの実施後にユーザーにより選択される前記トレーニング項目ごとの評価内容を示す評価情報を取得する取得処理部と、
前記メニュー情報と前記取得処理部によって取得された前記評価情報とに基づいて前記メニュー情報を変更可能な変更処理部と、
前記変更処理部によって変更された前記メニュー情報を出力する出力処理部と、
を備える情報処理装置。
【請求項２】
予め定められた認証操作に応じてユーザーを認証する認証処理部と、
前記認証処理部によって認証されたユーザーとは異なる他のユーザーに対応する前記メニュー情報に基づいて、トレーニングに用いられる器具の利用者数を取得する利用状況取得部と、を備え、
前記変更処理部は、前記メニュー情報に含まれる前記器具が用いられる前記トレーニング項目のうち、前記利用状況取得部により取得される前記器具の利用者数が前記器具ごとに予め定められる上限数以上の前記トレーニング項目を前記メニュー情報に含まれていない他の前記トレーニング項目に変更する、
請求項１に記載の情報処理装置。
【請求項３】
予め定められた外部の情報処理装置から取得される他の前記情報処理装置のユーザーに対応する前記メニュー情報に基づいて、トレーニングに用いられる器具の利用者数を取得する利用状況取得部を備え、
前記変更処理部は、前記メニュー情報に含まれる前記器具が用いられる前記トレーニング項目のうち、前記利用状況取得部により取得される前記器具の利用者数が前記器具ごとに予め定められる上限数以上の前記トレーニング項目を前記メニュー情報に含まれていない他の前記トレーニング項目に変更する、
請求項１に記載の情報処理装置。
【請求項４】
前記器具は、前記情報処理装置と通信可能に接続された特定器具を含み、
前記情報処理装置は、
前記メニュー情報に前記特定器具が用いられる特定トレーニング項目が含まれる場合に、ユーザーに割当可能な前記特定器具の有無を判定する判定処理部と、
前記判定処理部によってユーザーに割当可能な前記特定器具が存在すると判定された場合に、ユーザーに割り当てられる前記特定器具を特定すると共に、特定された前記特定器具の稼働条件を前記メニュー情報に基づいて設定する設定処理部と、を備え、
前記変更処理部は、前記判定処理部によってユーザーに割当可能な前記特定器具が存在しないと判定された場合に、前記特定トレーニング項目を前記メニュー情報に含まれていない他の前記トレーニング項目に変更し、
前記出力処理部は、前記メニュー情報と共に前記設定処理部により前記稼働条件が設定された前記特定器具の識別情報を出力する、
請求項２又は３に記載の情報処理装置。
【請求項５】
前記出力処理部は、前記メニュー情報及び前記評価情報の記入に用いられる記入欄をシートに印刷する印刷処理を実行可能であって、
前記情報処理装置は、前記メニュー情報、及び前記評価情報を含むシートの画像データを読み取る読取処理を実行可能な読取処理部を備え、
前記取得処理部は、前記読取処理によって読み取られる画像データから前記評価情報を取得する、
請求項１〜４のいずれかに記載の情報処理装置。
【請求項６】
予め定められた認証操作に応じて認証されるユーザーに対応する携帯端末を特定する特定処理部を備え、
前記出力処理部は、前記特定処理部によって特定される前記携帯端末に前記メニュー情報を送信する送信処理を実行可能であって、
前記取得処理部は、前記携帯端末におけるユーザー操作に応じて前記携帯端末から送信される前記評価情報を取得する、
請求項１〜５のいずれかに記載の情報処理装置。
【請求項７】
予め設定されるメニュー情報に含まれる一又は複数のトレーニング項目についてのトレーニングの実施後にユーザーにより選択される前記トレーニング項目ごとの評価内容を示す評価情報を取得する取得処理部と、
前記メニュー情報と前記取得処理部によって取得された前記評価情報とに基づいて前記メニュー情報を変更可能な変更処理部と、
前記変更処理部によって変更された前記メニュー情報を出力する出力処理部と、
を備える情報処理システム。
【請求項８】
予め設定されるメニュー情報に含まれる一又は複数のトレーニング項目についてのトレーニングの実施後にユーザーにより選択される前記トレーニング項目ごとの評価内容を示す評価情報を取得することと、
前記メニュー情報と取得された前記評価情報とに基づいて前記メニュー情報を変更することと、
変更された前記メニュー情報を出力することと、
を含む情報処理方法。
【発明の詳細な説明】
【技術分野】
【０００１】
本発明は、情報処理装置、情報処理システム、及び情報処理方法に関する。
【背景技術】
【０００２】
トレーニングジムのようなトレーニング施設では、健康維持目的、筋力増強目的、又は美容目的等を達成するために筋力トレーニングなどのトレーニングが行われる。また、トレーニング施設を利用するユーザーごとに、トレーニング施設におけるトレーニングの実施結果を記録可能な情報処理システムが知られている（特許文献１参照）。
【先行技術文献】
【特許文献】
【０００３】
【特許文献１】特開２００５−２６７１７９号公報
【発明の概要】
【発明が解決しようとする課題】
【０００４】
ところで、トレーニング施設では、予め作成されたトレーニングメニューに従ってトレーニングが行われることがある。ここで、トレーニングメニューに従ってトレーニングを行うユーザーは、そのトレーニングメニューに含まれるトレーニング項目における負荷が重い、又は軽いと感じることがある。この場合、トレーニングが行われた後、又は次のトレーニングが行われる際に、トレーニングメニューが修正される。しかしながら、トレーニングメニューの修正がユーザーによって行われる場合には、ユーザーにおいて修正作業を行う手間が生じる。
【０００５】
本発明の目的は、トレーニングメニューを修正するユーザーの手間を軽減可能な情報処理装置、情報処理システム、及び情報処理方法を提供することにある。
【課題を解決するための手段】
【０００６】
本発明の一の局面に係る情報処理装置は、取得処理部と、変更処理部と、出力処理部とを備える。前記取得処理部は、予め設定されるメニュー情報に含まれる一又は複数のトレーニング項目についてのトレーニングの実施後にユーザーにより選択される前記トレーニング項目ごとの評価内容を示す評価情報を取得する。前記変更処理部は、前記メニュー情報と前記取得処理部によって取得された前記評価情報とに基づいて前記メニュー情報を変更可能である。前記出力処理部は、前記変更処理部によって変更された前記メニュー情報を出力する。
【０００７】
本発明の他の局面に係る情報処理システムは、取得処理部と、変更処理部と、出力処理部とを備える。前記取得処理部は、予め設定されるメニュー情報に含まれる一又は複数のトレーニング項目についてのトレーニングの実施後にユーザーにより選択される前記トレーニング項目ごとの評価内容を示す評価情報を取得する。前記変更処理部は、前記メニュー情報と前記取得処理部によって取得された前記評価情報とに基づいて前記メニュー情報を変更可能である。前記出力処理部は、前記変更処理部によって変更された前記メニュー情報を出力する。
【０００８】
本発明の他の局面に係る情報処理方法は、予め設定されるメニュー情報に含まれる一又は複数のトレーニング項目についてのトレーニングの実施後にユーザーにより選択される前記トレーニング項目ごとの評価内容を示す評価情報を取得することと、前記メニュー情報と取得された前記評価情報とに基づいて前記メニュー情報を変更することと、変更された前記メニュー情報を出力することと、を含む。
【発明の効果】
【０００９】
本発明によれば、トレーニングメニューを修正するユーザーの手間を軽減可能な情報処理装置、情報処理システム、及び情報処理方法が実現される。
【図面の簡単な説明】
【００１０】
【図１】図１は、本発明の実施形態に係る情報処理システムの構成を示すブロック図である。
【図２】図２は、本発明の実施形態に係る情報処理システムに含まれる画像処理装置の構成を示す図である。
【図３】図３は、図２の画像処理装置から出力されるメニュー情報を含むシートの一例を示す図である。
【図４】図４は、図３のシートにおける評価情報の記入例を示す図である。
【図５】図５は、本発明の実施形態に係る情報処理システムで用いられる負荷レベルデータの一例を示す図である。
【図６】図６は、図２の画像処理装置から出力されるメニュー情報を含むシートの一例を示す図である。
【図７】図７は、図２の画像処理装置で実行されるメニュー出力処理の一例を示すフローチャートである。
【図８】図８は、図２の画像処理装置で実行されるメニュー生成処理の一例を示すフローチャートである。
【図９】図９は、本発明の実施形態に係る情報処理システムに含まれる携帯端末で実行される評価情報送信処理の一例を示すフローチャートである。
【図１０】図１０は、図２の画像処理装置で実行される評価情報読取処理の一例を示すフローチャートである。
【図１１】図１１は、図２の画像処理装置で実行されるメニュー変更処理の一例を示すフローチャートである。
【発明を実施するための形態】
【００１１】
以下、添付図面を参照しながら、本発明の実施形態について説明し、本発明の理解に供する。なお、以下の実施形態は、本発明を具体化した一例であって、本発明の技術的範囲を限定するものではない。
【００１２】
［情報処理システム１００］
本発明の実施形態に係る情報処理システム１００は、図１に示されるように、画像処理装置１０と、携帯端末２０とを備える。情報処理システム１００では、画像処理装置１０及び携帯端末２０の間で無線によるデータ通信が実行される。
【００１３】
［画像処理装置１０］
画像処理装置１０は、画像データに基づいて画像を形成するプリント機能と共に、スキャン機能、ファクシミリ機能、及びコピー機能などの複数の機能を有する複合機である。例えば、画像処理装置１０は、トレーニングジムのようなトレーニング施設に設けられる。なお、前記トレーニング施設では、健康維持目的、筋力増強目的、又は美容目的等を達成するために筋力トレーニングなどのトレーニングが行われる。
【００１４】
具体的に、画像処理装置１０は、図１及び図２に示されるように、ＡＤＦ１１、画像読取部１２、画像形成部１３、給紙部１４、制御部１５、操作表示部１７、通信部１８、及び記憶部１９を備える。なお、画像処理装置１０は、スキャナー、プリンター装置、ファクシミリ装置、コピー機、パーソナルコンピューター、スマートフォン、タブレット端末などであってもよい。ここに、画像処理装置１０が、本発明における情報処理装置の一例である。
【００１５】
ＡＤＦ１１は、原稿セット部、複数の搬送ローラー、原稿押さえ、及び排紙部を備え、画像読取部１２によって読み取られる原稿を搬送する自動原稿搬送装置である。画像読取部１２は、原稿台、光源、複数のミラー、光学レンズ、及びＣＣＤ（Charge Coupled Device）を備え、原稿から画像データを読み取る。
【００１６】
画像形成部１３は、画像読取部１２で読み取られた画像データ又は外部のパーソナルコンピューター等の情報処理装置から入力された画像データに基づいて、電子写真方式でカラー又はモノクロの画像を形成する画像形成処理（印刷処理）を実行することが可能である。具体的に、画像形成部１３は、Ｃ（シアン）、Ｍ（マゼンタ）、Ｙ（イエロー）、及びＫ（ブラック）に対応する複数の画像形成ユニット、光走査装置（ＬＳＵ）、中間転写ベルト、二次転写ローラー、定着装置、及び排紙トレイを備える。そして、画像形成部１３では、給紙部１４から供給されるシートにカラー又はモノクロの画像が形成されて、画像形成後の前記シートが前記排紙トレイに排出される。
【００１７】
制御部１５は、不図示のＣＰＵ、ＲＯＭ、ＲＡＭ、及びＥＥＰＲＯＭ（登録商標）などの制御機器を備える。前記ＣＰＵは、各種の演算処理を実行するプロセッサーである。前記ＲＯＭは、前記ＣＰＵに各種の処理を実行させるための制御プログラムなどの情報が予め記憶される不揮発性の記憶装置である。前記ＲＡＭは揮発性の記憶装置であり、前記ＥＥＰＲＯＭは不揮発性の記憶装置である。前記ＲＡＭ及び前記ＥＥＰＲＯＭは、前記ＣＰＵが実行する各種の処理の一時記憶メモリー（作業領域）として使用される。制御部１５では、前記ＣＰＵにより前記ＲＯＭに予め記憶された各種の制御プログラムが実行される。これにより、画像処理装置１０が制御部１５により統括的に制御される。なお、制御部１５は、集積回路（ＡＳＩＣ）などの電子回路で構成されたものであってもよく、画像処理装置１０を統括的に制御するメイン制御部とは別に設けられた制御部であってもよい。
【００１８】
操作表示部１７は、制御部１５からの制御指示に応じて各種の情報を表示する液晶ディスプレーなどの表示部、及びユーザーの操作に応じて制御部１５に各種の情報を入力するタッチパネルなどの操作部を有する。
【００１９】
通信部１８は、携帯端末２０などの外部の通信機器との間で、有線又は無線によるデータ通信を実行可能な通信インターフェイスである。例えば、通信部１８は、外部の通信機器との間でＢｌｕｅｔｏｏｔｈ（登録商標）によって規定された所定の通信プロトコルに従って無線によるデータ通信を実行する。例えば、通信部１８は、クラス２と称される電波強度（２．５ｍＷ）で、画像処理装置１０から約１０ｍの範囲に存在する外部の通信機器との間でＢｌｕｅｔｏｏｔｈによる無線通信を実行可能である。また、通信部１８は、外部の通信機器との間でインターネット又はＬＡＮ等の通信ネットワークを介して有線又は無線によるデータ通信を実行する。
【００２０】
ここで、画像処理装置１０では、予め携帯端末２０との間で、Ｂｌｕｅｔｏｏｔｈ通信における通信相手の認証手続であるペアリングが実行されている。前記ペアリングでは、Ｂｌｕｅｔｏｏｔｈ通信を行う機器相互間で、通信相手の認証のために必要となるペアリングＩＤが交換される。そして、前記ペアリングにより画像処理装置１０が取得した携帯端末２０の前記ペアリングＩＤが、記憶部１９に記憶されている。これにより、その後、画像処理装置１０と携帯端末２０との間でＢｌｕｅｔｏｏｔｈによる無線通信が可能である。
【００２１】
記憶部１９は、ソリッドステートドライブ（ＳＳＤ）又はハードディスクドライブ（ＨＤＤ）などの記憶装置である。記憶部１９には、携帯端末２０の前記ペアリングＩＤが記憶されている。また、記憶部１９には、ユーザーの認証情報が記憶されている。例えば、前記認証情報は、ユーザー名及びパスワードである。
【００２２】
ここで、情報処理システム１００では、ユーザーの前記認証情報が、そのユーザーの所持する携帯端末２０の前記ペアリングＩＤと対応付けられている。具体的に、画像処理装置１０の記憶部１９では、前記認証情報と前記ペアリングＩＤとが対応付けられて記憶されている。なお、前記ペアリングＩＤに替えて、携帯端末２０のＩＰアドレス又はＭＡＣアドレスが、前記認証情報と対応付けられて記憶部１９に記憶されていてもよい。
【００２３】
ところで、画像処理装置１０が設けられるトレーニング施設では、予め作成されたトレーニングメニューに従ってトレーニングが行われることがある。ここで、前記トレーニングメニューに従ってトレーニングを行うユーザーは、前記トレーニングメニューに含まれるトレーニング項目における負荷が重い、又は軽いと感じることがある。この場合、トレーニングが行われた後、又は次のトレーニングが行われる際に、前記トレーニングメニューが修正される。しかしながら、前記トレーニングメニューの修正がユーザーによって行われる場合には、ユーザーにおいて修正作業を行う手間が生じる。
【００２４】
これに対し、本発明の実施形態に係る情報処理システム１００では、以下に説明するように、前記トレーニングメニューを修正するユーザーの手間を軽減することが可能である。
【００２５】
具体的に、記憶部１９には、制御部１５の前記ＣＰＵに後述のメニュー出力処理（図７のフローチャート参照）、及び評価情報読取処理（図１０のフローチャート参照）を実行させるためのメニュー出力プログラムが予め記憶されている。なお、前記メニュー出力プログラムは、ＣＤ、ＤＶＤ、フラッシュメモリーなどのコンピューター読み取り可能な記録媒体に記録されており、前記記録媒体から読み取られて記憶部１９等にインストールされてもよい。
【００２６】
そして、制御部１５は、図１に示されるように、認証処理部１５１、特定処理部１５２、生成処理部１５３、出力処理部１５４、利用状況取得部１５５、判定処理部１５６、設定処理部１５７、読取処理部１５８、取得処理部１５９、及び変更処理部１６０を含む。具体的に、制御部１５は、前記ＣＰＵを用いて記憶部１９に記憶されている前記メニュー出力プログラムを実行する。これにより、制御部１５は、認証処理部１５１、特定処理部１５２、生成処理部１５３、出力処理部１５４、利用状況取得部１５５、判定処理部１５６、設定処理部１５７、読取処理部１５８、取得処理部１５９、及び変更処理部１６０として機能する。
【００２７】
認証処理部１５１は、予め定められた認証操作に応じてユーザーを認証するログイン処理を実行する。
【００２８】
例えば、認証処理部１５１は、操作表示部１７に前記認証操作を行うことが可能な認証画面を必要に応じて表示させる。そして、認証処理部１５１は、前記認証画面においてユーザーによる前記認証操作を受け付ける。例えば、前記認証操作は、ユーザー名及びパスワードなどのログイン情報の入力操作である。その後、認証処理部１５１は、操作表示部１７から入力された前記ログイン情報が記憶部１９に記憶されている前記認証情報に含まれている場合に認証完了と判断し、ユーザーを画像処理装置１０にログインさせる。なお、認証処理部１５１は、操作表示部１７に対するログアウト操作が行われた場合、予め設定された時間が経過した場合、又は他のユーザーをログインさせる場合に、現在ログイン中のユーザーをログアウトさせるログアウト処理を実行する。
【００２９】
特定処理部１５２は、認証処理部１５１によって認証されるユーザーに対応する携帯端末２０を特定する。
【００３０】
具体的に、特定処理部１５２は、認証処理部１５１によって認証されたユーザーの前記認証情報に対応する前記ペアリングＩＤが記憶部１９に記憶されている場合に、前記ペアリングＩＤによって識別される携帯端末２０をユーザーに対応する携帯端末２０として特定する。
【００３１】
生成処理部１５３は、ユーザー操作に応じて、トレーニングメニューを含むメニュー情報を生成する。
【００３２】
ここで、前記トレーニングメニューは、ユーザーによって実施されるトレーニングの内容を示すものであって、一又は複数のトレーニング項目を含むものである。前記トレーニング項目は、ユーザーによって実施されるトレーニングにおけるトレーニングの種類ごとに区分された区分単位である。前記トレーニング項目に対応するトレーニングの種類には、ランニングのような器具（ランニングマシン）を用いるトレーニング、及び水泳のような前記器具を用いないトレーニングが含まれる。ここで、前記器具には、画像処理装置１０と通信可能に接続された特定器具が含まれる。前記トレーニング項目各々は、トレーニングの実施条件を表す負荷を含む。
【００３３】
例えば、生成処理部１５３は、認証処理部１５１によってユーザーが認証された場合であって、認証されたユーザーに対応する後述の評価情報及び前記メニュー情報が取得処理部１５９によって記憶部１９に記憶されていない場合に、前記メニュー情報の生成に用いられる生成画面を操作表示部１７に表示させる。そして、生成処理部１５３は、前記生成画面におけるユーザー操作に応じて、前記メニュー情報を生成する。具体的に、前記生成画面では、予め定められた複数のトレーニングの種類から前記トレーニングメニューに組み入れられる一又は複数のトレーニングの種類を選択することが可能である。また、選択されたトレーニングの種類について前記負荷を設定することが可能である。
【００３４】
出力処理部１５４は、生成処理部１５３によって前記メニュー情報が生成された場合に、生成された前記メニュー情報を出力する。
【００３５】
具体的に、出力処理部１５４は、特定処理部１５２によってユーザーに対応する携帯端末２０が特定された場合に、特定された携帯端末２０に前記メニュー情報を送信する送信処理を実行する。また、出力処理部１５４は、特定処理部１５２によってユーザーに対応する携帯端末２０が特定されていない場合に、前記メニュー情報をシートに印刷する印刷処理を実行する。ここで、前記印刷処理では、前記メニュー情報と共に、前記メニュー情報に含まれる前記トレーニング項目についてのトレーニングの実施後にユーザーにより選択される前記トレーニング項目ごとの評価内容を示す評価情報の記入に用いられる記入欄が印刷される。また、出力処理部１５４は、前記送信処理又は前記印刷処理を実行すると共に、出力される前記メニュー情報を記憶部１９に記憶させる。
【００３６】
ここで、図３に、前記印刷処理で出力される前記メニュー情報を含むシートの一例を示す。図３に示されるシートＡ１０には、ユーザーの識別情報Ａ１１、メニュー情報Ａ１２、記入欄Ａ１３、及び器具識別情報Ａ１４が含まれている。
【００３７】
メニュー情報Ａ１２は、トレーニング項目Ａ１２１〜Ａ１２３を含む。トレーニング項目Ａ１２１では、ユーザーによって実施されるトレーニングの種類がランニングであること、及び前記負荷が時速１０キロメートルで１０分間走る、であることが示されている。ここで、本実施形態において、ランニングは前記特定器具を用いるトレーニングである。具体的に、前記特定器具はランニングマシンである。トレーニング項目Ａ１２２では、ユーザーによって実施されるトレーニングの種類がベンチプレスであること、及び前記負荷が重量３０キログラムのバーベルを用いて１０回を３セット繰り返す、であることが示されている。ここで、本実施形態において、ベンチプレスは前記特定器具とは異なる前記器具を用いるトレーニングである。具体的に、前記器具は、バーベルである。なお、ベンチプレスとは、バーベルを用いて上半身を鍛えるウェイトトレーニングの一種である。トレーニング項目Ａ１２３では、ユーザーによって実施されるトレーニングの種類が水泳であること、及び前記負荷がクロールで１００メートル泳ぐ、であることが示されている。ここで、本実施形態において、水泳は前記器具を用いないトレーニングである。
【００３８】
記入欄Ａ１３は、トレーニング項目Ａ１２１〜Ａ１２３の各々に対応して設けられ、トレーニングを行ったユーザーによってトレーニング項目Ａ１２１〜Ａ１２３の各々における前記負荷の軽重に対する評価を示す前記評価情報が記入される。記入欄Ａ１３では、前記負荷の軽重に対する評価が５段階で行われる。具体的に、シートＡ１０では、記入欄Ａ１３における「楽」、「やや楽」、「普通」、「やや苦」、「苦」のいずれかを表す数字が丸で囲まれることで、前記評価情報が記入される。図４に、シートＡ１０における前記評価情報の記入例を示す。なお、前記評価情報は、５を超える段数又は５未満の段数で前記負荷の軽重に対する評価を示す情報であってもよい。また、前記評価情報は、前記負荷の軽重に対する評価の段階数を表す文字、文字列、又は数字であってもよい。
【００３９】
器具識別情報Ａ１４は、後述する設定処理部１５７によってユーザーに割り当てられる前記特定器具の識別に用いられる情報である。
【００４０】
利用状況取得部１５５は、認証処理部１５１によって認証されたユーザーとは異なる他のユーザーに対応する前記メニュー情報に基づいて、トレーニングに用いられる前記器具の利用者数を取得する。
【００４１】
例えば、利用状況取得部１５５は、認証処理部１５１によってユーザーが認証された場合に、前記他のユーザーに対応する前記メニュー情報を記憶部１９から取得する。例えば、利用状況取得部１５５は、認証処理部１５１によるユーザーの認証時から遡って予め定められた時間以内に出力処理部１５４によって記憶部１９に記憶された前記メニュー情報を取得する。例えば、前記時間は２時間である。そして、利用状況取得部１５５は、取得された前記メニュー情報における、前記器具が用いられる前記トレーニング項目を含む前記メニュー情報の数を計数することによって、前記器具の利用者数を取得する。
【００４２】
ここで、生成処理部１５３は、利用状況取得部１５５によって前記器具の利用者数が取得された後に、前記生成画面を表示させる。また、生成処理部１５３は、利用状況取得部１５５により取得される前記器具の利用者数が前記器具ごとに予め定められる上限数以上であるトレーニングの種類を、前記生成画面における選択対象から除外する。なお、前記上限数は、前記器具の設置数と同数であってもよく、前記器具の設置数を超える数であってもよい。
【００４３】
判定処理部１５６は、ユーザーに割当可能な前記特定器具の有無を判定する。
【００４４】
例えば、判定処理部１５６は、認証処理部１５１によってユーザーが認証された場合であって、認証されたユーザーに対応する前記評価情報及び前記メニュー情報が取得処理部１５９によって記憶部１９に記憶されていない場合に、ユーザーに割当可能な前記特定器具の有無を判定する。具体的に、判定処理部１５６は、前記特定器具のうち、以下に述べる設定処理部１５７によって稼働条件が設定されていない前記特定器具が存在する場合に、ユーザーに割当可能な前記特定器具が存在すると判定する。
【００４５】
ここで、生成処理部１５３は、判定処理部１５６によって前記特定器具の有無が判定された後に、前記生成画面を表示させる。また、生成処理部１５３は、判定処理部１５６によりユーザーに割当可能な前記特定器具が存在しないと判定されたトレーニングの種類を、前記生成画面における選択対象から除外する。
【００４６】
設定処理部１５７は、生成処理部１５３によって生成された前記メニュー情報に前記特定器具が用いられる特定トレーニング項目が含まれる場合に、ユーザーに割り当てられる前記特定器具を特定すると共に、特定された前記特定器具の稼働条件を前記メニュー情報に基づいて設定する。
【００４７】
例えば、設定処理部１５７は、前記メニュー情報の前記特定トレーニング項目に含まれる前記負荷に基づいて前記稼働条件を設定する旨の設定指示を、特定された前記特定器具に送信する。
【００４８】
ここで、出力処理部１５４は、前記メニュー情報と共に、設定処理部１５７により前記稼働条件が設定された前記特定器具の識別情報を出力する。図３及び図４には、出力処理部１５４によって出力される前記特定器具の識別情報の一例である器具識別情報Ａ１４が示されている。
【００４９】
読取処理部１５８は、前記メニュー情報、及び前記評価情報を含むシートの画像データを読み取る読取処理を実行可能である。例えば、読取処理部１５８は、操作表示部１７におけるユーザー操作に応じて、前記読取処理の実行操作を受け付け可能な読取受付画面を表示させる。そして、読取処理部１５８は、前記読取受付画面で受け付けられた前記実行操作に応じて、前記読取処理を実行する。
【００５０】
取得処理部１５９は、前記メニュー情報に含まれる一又は複数の前記トレーニング項目についてのトレーニングの実施後にユーザーにより選択される前記トレーニング項目ごとの評価内容を示す前記評価情報を取得する。
【００５１】
例えば、取得処理部１５９は、前記読取処理によって読み取られる画像データから前記評価情報及び前記メニュー情報を取得する。また、取得処理部１５９は、携帯端末２０におけるユーザー操作に応じて携帯端末２０から送信される前記評価情報及び前記メニュー情報を取得する。取得処理部１５９は、取得された前記評価情報及び前記メニュー情報を記憶部１９に記憶させる。
【００５２】
例えば、取得処理部１５９は、図４に示されるシートＡ１０の画像データが読み取られた場合に、メニュー情報Ａ１２と共に、トレーニング項目Ａ１２１の評価が５段階中の２であること、トレーニング項目Ａ１２２の評価が５段階中の５であること、及びトレーニング項目Ａ１２３の評価が５段階中の３であることを示す前記評価情報を取得する。
【００５３】
変更処理部１６０は、前記メニュー情報と取得処理部１５９によって取得された前記評価情報とに基づいて、前記メニュー情報を変更可能である。
【００５４】
例えば、変更処理部１６０は、認証処理部１５１によってユーザーが認証された場合であって、認証されたユーザーに対応する前記評価情報及び前記メニュー情報が取得処理部１５９によって記憶部１９に記憶されている場合に、記憶部１９に記憶されている前記メニュー情報と前記評価情報とに基づいて、前記メニュー情報を変更する。
【００５５】
例えば、画像処理装置１０では、前記生成画面で選択可能なトレーニングの種類ごとに、前記負荷の内容と前記負荷のレベル（段階数）との対応関係を示す負荷レベルデータが記憶部１９に記憶されている。図５に、前記負荷レベルデータの一例である負荷レベルデータＤ１０を示す。
【００５６】
例えば、変更処理部１６０は、図４に示されるシートＡ１０の画像データから前記評価情報が取得された場合に、図５に示される負荷レベルデータＤ１０に基づいて、メニュー情報Ａ１２のトレーニング項目Ａ１２１に含まれる前記負荷に対応する負荷レベルを特定する。そして、変更処理部１６０は、前記評価情報に基づいて、特定された負荷レベルを変更する。例えば、変更処理部１６０は、前記評価情報が５段階中の２である場合は、負荷レベルを一つ上昇させる。また、変更処理部１６０は、前記評価情報が５段階中の１である場合は、負荷レベルを二つ上昇させる。また、変更処理部１６０は、前記評価情報が５段階中の４である場合は、負荷レベルを一つ下降させる。また、変更処理部１６０は、前記評価情報が５段階中の５である場合は、負荷レベルを二つ下降させる。なお、変更処理部１６０は、前記評価情報が５段階中の３である場合は、負荷レベルを変更しない。
【００５７】
また、変更処理部１６０は、前記メニュー情報に含まれる前記器具が用いられる前記トレーニング項目のうち、利用状況取得部１５５により取得される前記器具の利用者数が前記上限数以上の前記トレーニング項目を、前記メニュー情報に含まれていない他の前記トレーニング項目に変更する。
【００５８】
また、判定処理部１５６は、前記メニュー情報に前記特定トレーニング項目が含まれる場合に、ユーザーに割当可能な前記特定器具の有無を判定する。そして、変更処理部１６０は、判定処理部１５６によってユーザーに割当可能な前記特定器具が存在しないと判定された場合に、前記特定トレーニング項目を前記メニュー情報に含まれていない他の前記トレーニング項目に変更する。一方、設定処理部１５７は、判定処理部１５６によってユーザーに割当可能な前記特定器具が存在すると判定された場合に、ユーザーに割り当てられる前記特定器具を特定すると共に、特定された前記特定器具の前記稼働条件を前記メニュー情報に基づいて設定する。
【００５９】
例えば、画像処理装置１０では、前記生成画面で選択可能なトレーニングの種類が、鍛えられる肉体の部位又はトレーニングの性質等の共通性に基づいてグループ分けされている。変更処理部１６０は、前記器具の利用者数が前記上限数以上の前記トレーニング項目を、その前記トレーニング項目と同じグループに属する他の前記トレーニング項目に変更する。また、変更処理部１６０は、判定処理部１５６によってユーザーに割当可能な前記特定器具が存在しないと判定された場合に、前記特定トレーニング項目を、その前記特定トレーニング項目と同じグループに属する他の前記トレーニング項目に変更する。なお、変更後の前記トレーニング項目は、前記器具が用いられない前記トレーニング項目であってもよい。
【００６０】
出力処理部１５４は、変更処理部１６０によって前記メニュー情報が変更された場合は、変更された前記メニュー情報を出力する。具体的に、出力処理部１５４は、特定処理部１５２によるユーザーに対応する携帯端末２０の特定の有無に応じて、前記送信処理又は前記印刷処理を実行する。また、出力処理部１５４は、前記送信処理又は前記印刷処理を実行すると共に、変更された前記メニュー情報を記憶部１９に記憶させる。また、出力処理部１５４は、変更された前記メニュー情報と共に、設定処理部１５７により前記稼働条件が設定された前記特定器具の識別情報を出力する。
【００６１】
ここで、図６に、前記印刷処理で出力される変更処理部１６０によって変更された前記メニュー情報を含むシートの一例を示す。図６に示されるシートＡ２０には、ユーザーの識別情報Ａ２１、メニュー情報Ａ２２、記入欄Ａ２３、及び器具識別情報Ａ２４が含まれている。図６に示されるメニュー情報Ａ２２は、変更処理部１６０によって図４に示されるメニュー情報Ａ１２が図４に示される前記評価情報及び図５に示される負荷レベルデータＤ１０等に基づいて変更されたものである。具体的に、図６に示されるトレーニング項目Ａ２２１は、図４に示されるトレーニング項目Ａ１２１における前記負荷が変更されたものである。図６に示されるトレーニング項目Ａ２２１の前記負荷は、図４に示されるトレーニング項目Ａ１２１についての前記評価情報を反映した内容とされている。また、図６に示されるトレーニング項目Ａ２２２は、図４に示されるトレーニング項目Ａ１２２におけるトレーニングの種類がベンチプレスからチェストプレスに変更されたものである。なお、図６に示されるトレーニング項目Ａ２２２の前記負荷は、図４に示されるトレーニング項目Ａ１２２の前記負荷に対応するベンチプレスの負荷レベルと同じレベルのチェストプレスの負荷レベルに対応する前記負荷を前記評価情報に基づいて変更したものである。また、図６に示されるトレーニング項目Ａ２２３は、図４に示されるトレーニング項目Ａ１２３と同一である。
【００６２】
なお、制御部１５に、特定処理部１５２、利用状況取得部１５５、判定処理部１５６、設定処理部１５７、及び読取処理部１５８のいずれか一つ又は複数が含まれていなくてもよい。
【００６３】
［携帯端末２０］
携帯端末２０は、画像処理装置１０のユーザーなどによって持ち運ばれるスマートフォン又はウェアラブル端末などの移動通信端末である。
【００６４】
具体的に、携帯端末２０は、図１に示されるように、制御部２１、操作表示部２２、通信部２３、及び記憶部２４を備える。なお、携帯端末２０は、携帯電話、タブレット端末、ノートパソコン、又はＰＤＡなどであってもよい。
【００６５】
制御部２１は、不図示のＣＰＵ、ＲＯＭ、ＲＡＭ、及びＥＥＰＲＯＭなどの制御機器を備える。前記ＣＰＵは、各種の演算処理を実行するプロセッサーである。前記ＲＯＭは、前記ＣＰＵに各種の処理を実行させるための制御プログラムなどの情報が予め記憶される不揮発性の記憶装置である。前記ＲＡＭは揮発性の記憶装置であり、前記ＥＥＰＲＯＭは不揮発性の記憶装置である。前記ＲＡＭ及び前記ＥＥＰＲＯＭは、前記ＣＰＵが実行する各種の処理の一時記憶メモリー（作業領域）として使用される。制御部２１では、前記ＣＰＵにより前記ＲＯＭに予め記憶された各種の制御プログラムが実行される。これにより、携帯端末２０が制御部２１により統括的に制御される。なお、制御部２１は、集積回路（ＡＳＩＣ）などの電子回路で構成されたものであってもよく、携帯端末２０を統括的に制御するメイン制御部とは別に設けられた制御部であってもよい。
【００６６】
操作表示部２２は、制御部２１からの制御指示に応じて各種の情報を表示する液晶ディスプレーなどの表示部、及びユーザーの操作に応じて制御部２１に各種の情報を入力するタッチパネルなどの操作部を有する。
【００６７】
通信部２３は、画像処理装置１０などの外部の通信機器との間で、無線によるデータ通信を実行可能な通信インターフェイスである。例えば、通信部２３は、外部の通信機器との間でＢｌｕｅｔｏｏｔｈによって規定された所定の通信プロトコルに従って無線によるデータ通信を実行する。例えば、通信部２３は、画像処理装置１０と同様にクラス２の電波強度で、携帯端末２０から約１０ｍの範囲に存在する外部の通信機器との間でＢｌｕｅｔｏｏｔｈによる無線通信を実行可能である。ここで、携帯端末２０では、予め画像処理装置１０との間で前記ペアリングが実行されており、画像処理装置１０の前記ペアリングＩＤが記憶部２４に記憶されている。なお、通信部２３は、外部の通信機器との間で無線ＬＡＮの通信規格に従った無線通信を実行してもよい。
【００６８】
記憶部２４は、フラッシュメモリー等の不揮発性の記憶装置であり、制御部２１によるデータの読み書きが可能である。記憶部２４には、画像処理装置１０の前記ペアリングＩＤが記憶されている。
【００６９】
また、記憶部２４には、制御部２１の前記ＣＰＵに後述の評価情報送信処理（図９のフローチャート参照）を実行させるための評価情報送信プログラムが予め記憶されている。なお、前記評価情報送信プログラムは、ＣＤ、ＤＶＤ、フラッシュメモリーなどのコンピューター読み取り可能な記録媒体に記録されており、前記記録媒体から読み取られて記憶部２４等にインストールされてもよい。
【００７０】
そして、制御部２１は、図１に示されるように、受信処理部２１１、受付処理部２１２、及び送信処理部２１３を含む。具体的に、制御部２１は、前記ＣＰＵを用いて記憶部２４に記憶されている前記評価情報送信プログラムを実行する。これにより、制御部２１は、受信処理部２１１、受付処理部２１２、及び送信処理部２１３として機能する。
【００７１】
受信処理部２１１は、画像処理装置１０から送信される前記メニュー情報を受信する。
【００７２】
受付処理部２１２は、受信処理部２１１によって受信された前記メニュー情報を表示させて、前記評価情報の入力操作を受け付ける。
【００７３】
例えば、受付処理部２１２は、受信処理部２１１によって前記メニュー情報が受信された後に、操作表示部２２におけるユーザー操作に応じて、前記評価情報の入力操作を受け付け可能な入力受付画面を表示させる。前記入力受付画面には、前記メニュー情報が含まれる。
【００７４】
送信処理部２１３は、前記評価情報の入力操作によって入力された前記評価情報を画像処理装置１０に送信する。また、送信処理部２１３は、前記評価情報と共に前記メニュー情報を画像処理装置１０に送信する。
【００７５】
［メニュー出力処理］
以下、図７を参照しつつ、画像処理装置１０において制御部１５により実行されるメニュー出力処理の手順の一例について説明する。ここで、ステップＳ１１、Ｓ１２・・・は、制御部１５により実行される処理手順（ステップ）の番号を表している。
【００７６】
＜ステップＳ１１＞
まず、ステップＳ１１において、制御部１５は、前記認証操作が行われたか否かを判断する。
【００７７】
ここで、制御部１５は、前記認証操作が行われたと判断すると（Ｓ１１のＹｅｓ側）、処理をステップＳ１２に移行させる。また、前記認証操作が行われていなければ（Ｓ１１のＮｏ側）、制御部１５は、ステップＳ１１で前記認証操作が行われるのを待ち受ける。
【００７８】
＜ステップＳ１２＞
ステップＳ１２において、制御部１５は、前記ログイン処理を実行する。ここで、ステップＳ１１及びステップＳ１２の処理は、制御部１５の認証処理部１５１により実行される。
【００７９】
＜ステップＳ１３＞
ステップＳ１３において、制御部１５は、ステップＳ１２で認証されたユーザーに対応する携帯端末２０を特定する。ここで、ステップＳ１３の処理は、制御部１５の特定処理部１５２により実行される。なお、ステップＳ１３の処理は省略されてもよい。
【００８０】
＜ステップＳ１４＞
ステップＳ１４において、制御部１５は、後述する前記評価情報送信処理又は前記評価情報読取処理が実行されたことによって、ステップＳ１２で認証されたユーザーに対応する前記評価情報及び前記メニュー情報が記憶部１９に記憶されているか否かを判断する。
【００８１】
ここで、制御部１５は、前記評価情報及び前記メニュー情報が記憶部１９に記憶されていると判断すると（Ｓ１４のＹｅｓ側）、処理をステップＳ１４１に移行させる。また、前記評価情報及び前記メニュー情報が記憶部１９に記憶されていなければ（Ｓ１４のＮｏ側）、制御部１５は、処理をステップＳ１５に移行させる。
【００８２】
＜ステップＳ１５＞
ステップＳ１５において、制御部１５は、後述するメニュー生成処理を実行する。
【００８３】
＜ステップＳ１４１＞
ステップＳ１４１において、制御部１５は、後述するメニュー変更処理を実行する。
【００８４】
＜ステップＳ１６＞
ステップＳ１６において、制御部１５は、以下に述べるメニュー生成処理で生成された前記メニュー情報又は後述するメニュー変更処理で変更された前記メニュー情報を出力する。ここで、ステップＳ１６の処理は、制御部１５の出力処理部１５４により実行される。
【００８５】
具体的に、制御部１５は、ステップＳ１３でユーザーに対応する携帯端末２０が特定されている場合は、前記送信処理を実行する。また、制御部１５は、ステップＳ１３でユーザーに対応する携帯端末２０が特定されていない場合は、前記印刷処理を実行する。また、制御部１５は、前記送信処理又は前記印刷処理を実行すると共に、出力される前記メニュー情報を記憶部１９に記憶させる。
【００８６】
［メニュー生成処理］
次に、図８を参照しつつ、前記メニュー出力処理のステップＳ１５で実行されるメニュー生成処理の手順の一例について説明する。
【００８７】
＜ステップＳ２１＞
まず、ステップＳ２１において、制御部１５は、前記メニュー出力処理のステップＳ１２で認証されたユーザーとは異なる他のユーザーに対応する前記メニュー情報に基づいて、前記器具の利用者数を取得する。ここで、ステップＳ２１の処理は、制御部１５の利用状況取得部１５５により実行される。
【００８８】
＜ステップＳ２２＞
ステップＳ２２において、制御部１５は、ユーザーに割当可能な前記特定器具の有無を判定する。ここで、ステップＳ２２の処理は、制御部１５の判定処理部１５６により実行される。
【００８９】
＜ステップＳ２３＞
ステップＳ２３において、制御部１５は、前記メニュー情報の生成に用いられる前記生成画面を操作表示部１７に表示させて、前記メニュー情報の内容の選択操作、及び前記メニュー情報の生成を指示する生成操作を受け付ける。
【００９０】
例えば、制御部１５は、ステップＳ２１で取得される前記器具の利用者数が前記上限数以上であるトレーニングの種類を、前記生成画面における選択対象から除外する。これにより、前記メニュー生成処理で生成される前記メニュー情報に含まれる前記トレーニング項目が前記器具の不足により実施できない事態が回避される。
【００９１】
また、制御部１５は、ステップＳ２２でユーザーに割当可能な前記特定器具が存在しないと判定されたトレーニングの種類を、前記生成画面における選択対象から除外する。これにより、前記メニュー生成処理で生成される前記メニュー情報に含まれる前記トレーニング項目が前記特定器具の不足により実施できない事態が回避される。
【００９２】
＜ステップＳ２４＞
ステップＳ２４において、制御部１５は、ステップＳ２３で表示された前記生成画面において前記生成操作が行われたか否かを判断する。
【００９３】
ここで、制御部１５は、前記生成操作が行われたと判断すると（Ｓ２４のＹｅｓ側）、処理をステップＳ２５に移行させる。また、前記生成操作が行われていなければ（Ｓ２４のＮｏ側）、制御部１５は、ステップＳ２４で前記生成操作が行われるのを待ち受ける。
【００９４】
＜ステップＳ２５＞
ステップＳ２５において、制御部１５は、前記生成画面における操作入力に応じて前記メニュー情報を生成する。ここで、ステップＳ２３〜ステップＳ２５の処理は、制御部１５の生成処理部１５３により実行される。
【００９５】
＜ステップＳ２６＞
ステップＳ２６において、制御部１５は、ステップＳ２５で生成された前記メニュー情報に前記特定トレーニング項目が含まれているか否かを判断する。
【００９６】
ここで、制御部１５は、前記メニュー情報に前記特定トレーニング項目が含まれていると判断すると（Ｓ２６のＹｅｓ側）、処理をステップＳ２７に移行させる。また、前記メニュー情報に前記特定トレーニング項目が含まれていなければ（Ｓ２６のＮｏ側）、制御部１５は、前記メニュー生成処理を終了させる。
【００９７】
＜ステップＳ２７＞
ステップＳ２７において、制御部１５は、ユーザーに割り当てられる前記特定器具を特定すると共に、特定された前記特定器具の前記稼働条件をステップＳ２５で生成された前記メニュー情報に基づいて設定する。ここで、ステップＳ２７の処理は、制御部１５の設定処理部１５７により実行される。
【００９８】
例えば、制御部１５は、ステップＳ２５で生成された前記メニュー情報の前記特定トレーニング項目に含まれる前記負荷に基づいて前記稼働条件を設定する旨の設定指示を、特定された前記特定器具に送信する。これにより、前記特定器具の設定操作を行うユーザーの手間が省かれる。
【００９９】
なお、ステップＳ２７の処理の後に実行される前記メニュー出力処理のステップＳ１６では、ステップＳ２５で生成された前記メニュー情報と共に、ステップＳ２７で前記稼働条件が設定された前記特定器具の識別情報が出力される。これにより、ユーザーは、前記メニュー情報に基づいて前記稼働条件が設定された前記特定機器を識別することが可能である。
【０１００】
［評価情報送信処理］
次に、図９を参照しつつ、携帯端末２０において制御部２１により実行される評価情報送信処理の手順の一例について説明する。
【０１０１】
＜ステップＳ３１＞
まず、ステップＳ３１において、制御部２１は、画像処理装置１０から送信される前記メニュー情報を受信したか否かを判断する。ここで、ステップＳ３１の処理は、制御部２１の受信処理部２１１により実行される。
【０１０２】
ここで、制御部２１は、前記メニュー情報を受信したと判断すると（Ｓ３１のＹｅｓ側）、処理をステップＳ３２に移行させる。また、前記メニュー情報を受信していなければ（Ｓ３１のＮｏ側）、制御部２１は、ステップＳ３１で前記メニュー情報の受信を待ち受ける。
【０１０３】
＜ステップＳ３２＞
ステップＳ３２において、制御部２１は、操作表示部２２において前記評価情報の入力操作を受け付け可能な前記入力受付画面の呼出操作が行われたか否かを判断する。
【０１０４】
ここで、制御部２１は、前記入力受付画面の呼出操作が行われたと判断すると（Ｓ３２のＹｅｓ側）、処理をステップＳ３３に移行させる。また、前記入力受付画面の呼出操作が行われていなければ（Ｓ３２のＮｏ側）、制御部２１は、ステップＳ３２で前記入力受付画面の呼出操作が行われるのを待ち受ける。
【０１０５】
＜ステップＳ３３＞
ステップＳ３３において、制御部２１は、前記入力受付画面を操作表示部２２に表示させて、前記評価情報の入力操作を受け付ける。ここで、ステップＳ３２及びステップＳ３３の処理は、制御部２１の受付処理部２１２により実行される。
【０１０６】
＜ステップＳ３４＞
ステップＳ３４において、制御部２１は、ステップＳ３３で表示された前記入力受付画面で前記評価情報の入力操作が行われたか否かを判断する。
【０１０７】
ここで、制御部２１は、前記評価情報の入力操作が行われたと判断すると（Ｓ３４のＹｅｓ側）、処理をステップＳ３５に移行させる。また、前記評価情報の入力操作が行われていなければ（Ｓ３４のＮｏ側）、制御部２１は、ステップＳ３４で前記評価情報の入力操作を待ち受ける。
【０１０８】
＜ステップＳ３５＞
ステップＳ３５において、制御部２１は、前記評価情報の入力操作によって入力された前記評価情報及びステップＳ３１で受信された前記メニュー情報を画像処理装置１０に送信する。ここで、ステップＳ３５の処理は、制御部２１の送信処理部２１３により実行される。
【０１０９】
画像処理装置１０の制御部１５は、ステップＳ３５で送信された前記評価情報及び前記メニュー情報を受信すると、受信した前記評価情報及び前記メニュー情報を記憶部１９に記憶させる。
【０１１０】
［評価情報読取処理］
次に、図１０を参照しつつ、画像処理装置１０において制御部１５により実行される評価情報読取処理の手順の一例について説明する。
【０１１１】
＜ステップＳ４１＞
まず、ステップＳ４１において、制御部１５は、操作表示部１７において前記読取処理の前記実行操作を受け付け可能な前記読取受付画面の呼出操作が行われたか否かを判断する。
【０１１２】
ここで、制御部１５は、前記読取受付画面の呼出操作が行われたと判断すると（Ｓ４１のＹｅｓ側）、処理をステップＳ４２に移行させる。また、前記読取受付画面の呼出操作が行われていなければ（Ｓ４１のＮｏ側）、制御部１５は、ステップＳ４１で前記読取受付画面の呼出操作を待ち受ける。
【０１１３】
＜ステップＳ４２＞
ステップＳ４２において、制御部１５は、前記読取受付画面を操作表示部１７に表示させて、前記読取処理の前記実行操作を受け付ける。
【０１１４】
＜ステップＳ４３＞
ステップＳ４３において、制御部１５は、ステップＳ４２で表示された前記読取受付画面において、前記読取処理の前記実行操作が行われたか否かを判断する。
【０１１５】
ここで、制御部１５は、前記読取処理の前記実行操作が行われたと判断すると（Ｓ４３のＹｅｓ側）、処理をステップＳ４４に移行させる。また、前記読取処理の前記実行操作が行われていなければ（Ｓ４３のＮｏ側）、制御部１５は、ステップＳ４３で前記読取処理の前記実行操作が行われるのを待ち受ける。
【０１１６】
＜ステップＳ４４＞
ステップＳ４４において、制御部１５は、前記読取処理を実行する。ここで、ステップＳ４４の処理は、制御部１５の読取処理部１５８により実行される。
【０１１７】
＜ステップＳ４５＞
ステップＳ４５において、制御部１５は、ステップＳ４４で読み取られた画像データから前記評価情報及び前記メニュー情報を取得する。制御部１５は、取得された前記評価情報及び前記メニュー情報を記憶部１９に記憶させる。ここで、ステップＳ４５の処理は、制御部１５の取得処理部１５９により実行される。
【０１１８】
［メニュー変更処理］
次に、図１１を参照しつつ、前記メニュー出力処理のステップＳ１４１で実行されるメニュー変更処理の手順の一例について説明する。
【０１１９】
＜ステップＳ５１＞
まず、ステップＳ５１において、制御部１５は、前記メニュー出力処理のステップＳ１２で認証されたユーザーとは異なる他のユーザーに対応する前記メニュー情報に基づいて、前記器具の利用者数を取得する。ここで、ステップＳ５１の処理は、制御部１５の利用状況取得部１５５により実行される。
【０１２０】
＜ステップＳ５２＞
ステップＳ５２において、制御部１５は、前記評価情報送信処理又は前記評価情報読取処理によって取得された前記メニュー情報に前記特定トレーニング項目が含まれる場合に、ユーザーに割当可能な前記特定器具の有無を判定する。ここで、ステップＳ５２の処理は、制御部１５の判定処理部１５６により実行される。
【０１２１】
＜ステップＳ５３＞
ステップＳ５３において、制御部１５は、前記評価情報送信処理又は前記評価情報読取処理によって取得された前記メニュー情報及び前記評価情報に基づいて、前記メニュー情報を変更する。ここで、ステップＳ５３の処理は、制御部１５の変更処理部１６０により実行される。
【０１２２】
ここで、制御部１５は、取得された前記メニュー情報に含まれる前記器具が用いられる前記トレーニング項目のうち、ステップＳ５１で取得される前記器具の利用者数が前記上限数以上の前記トレーニング項目を、前記メニュー情報に含まれていない他の前記トレーニング項目に変更する。
【０１２３】
また、制御部１５は、ステップＳ５２でユーザーに割当可能な前記特定器具が存在しないと判定された場合に、前記特定トレーニング項目を前記メニュー情報に含まれていない他の前記トレーニング項目に変更する。
【０１２４】
＜ステップＳ５４＞
ステップＳ５４において、制御部１５は、ステップＳ５３で変更された前記メニュー情報に前記特定トレーニング項目が含まれているか否かを判断する。
【０１２５】
ここで、制御部１５は、前記メニュー情報に前記特定トレーニング項目が含まれていると判断すると（Ｓ５４のＹｅｓ側）、処理をステップＳ５５に移行させる。また、前記メニュー情報に前記特定トレーニング項目が含まれていなければ（Ｓ５４のＮｏ側）、制御部１５は、前記メニュー変更処理を終了させる。
【０１２６】
＜ステップＳ５５＞
ステップＳ５５において、制御部１５は、ユーザーに割り当てられる前記特定器具を特定すると共に、特定された前記特定器具の前記稼働条件をステップＳ５３で変更された前記メニュー情報に基づいて設定する。ここで、ステップＳ５５の処理は、制御部１５の設定処理部１５７により実行される。
【０１２７】
例えば、制御部１５は、ステップＳ５３で変更された前記メニュー情報の前記特定トレーニング項目に含まれる前記負荷に基づいて前記稼働条件を設定する旨の設定指示を、特定された前記特定器具に送信する。
【０１２８】
なお、ステップＳ５５の処理の後に実行される前記メニュー出力処理のステップＳ１６では、ステップＳ５３で変更された前記メニュー情報と共に、ステップＳ５５で前記稼働条件が設定された前記特定器具の識別情報が出力される。
【０１２９】
このように、情報処理システム１００では、前記メニュー情報に含まれる前記トレーニング項目についてのトレーニングの実施後にユーザーにより選択される前記トレーニング項目ごとの評価内容を示す前記評価情報が取得されて、取得された前記評価情報に基づいて前記メニュー情報が修正される。これにより、前記トレーニングメニューを修正するユーザーの手間を軽減することが可能である。
【０１３０】
なお、携帯端末２０の制御部２１が、出力処理部１５４、取得処理部１５９、及び変更処理部１６０を備える構成が他の実施形態として考えられる。この場合、携帯端末２０が、本発明における情報処理装置の他の一例である。また、前記他の実施形態において、携帯端末２０の制御部２１が、生成処理部１５３を備えていてもよい。
【０１３１】
また、前記他の実施形態において、携帯端末２０の制御部２１が、読取処理部１５８を備える構成が考えられる。この場合、例えば、携帯端末２０の制御部２１は、不図示の撮像部を用いて、前記メニュー情報及び前記評価情報を含むシートの画像を撮影することが考えられる。
【０１３２】
また、前記他の実施形態において、携帯端末２０の制御部２１が、利用状況取得部１５５を備える構成が考えられる。この場合、例えば、携帯端末２０の制御部２１は、生成又は変更された前記メニュー情報を画像処理装置１０の記憶部１９に記憶させる。また、携帯端末２０の制御部２１は、画像処理装置１０の記憶部１９から、他の携帯端末２０のユーザーに対応する前記メニュー情報を取得して、取得された前記メニュー情報に基づいて、前記器具の利用者数を取得することが考えられる。
【０１３３】
また、前記他の実施形態において、携帯端末２０の制御部２１が、利用状況取得部１５５に加えて、判定処理部１５６、及び設定処理部１５７を備える構成が考えられる。この場合、例えば、携帯端末２０の制御部２１は、画像処理装置１０から、他の携帯端末２０のユーザーへの前記特定器具の割当状況に関する割当状況情報を取得して、取得された前記割当状況情報に基づいて、ユーザーに割当可能な前記特定器具の有無の判定、ユーザーに割り当てられる前記特定器具の特定、及び前記特定器具の稼働条件の設定を行うことが考えられる。
【０１３４】
また、情報処理システム１００は、複数の画像処理装置１０を備えるものであってもよい。この場合、画像処理装置１０の制御部１５に設けられる各構成は、複数の画像処理装置１０に分散して設けられていてもよい。例えば、第１の画像処理装置１０の制御部１５が、出力処理部１５４、及び取得処理部１５９を備え、第２の画像処理装置１０の制御部１５が、変更処理部１６０を備える構成が考えられる。
【符号の説明】
【０１３５】
１０：画像処理装置
１１：ＡＤＦ
１２：画像読取部
１３：画像形成部
１４：給紙部
１５：制御部
１７：操作表示部
１８：通信部
１９：記憶部
２０：携帯端末
２１：制御部
２２：操作表示部
２３：通信部
２４：記憶部
１００：情報処理システム
１５１：認証処理部
１５２：特定処理部
１５３：生成処理部
１５４：出力処理部
１５５：利用状況取得部
１５６：判定処理部
１５７：設定処理部
１５８：読取処理部
１５９：取得処理部
１６０：変更処理部
２１１：受信処理部
２１２：受付処理部
２１３：送信処理部
【図１】
2018173737.tif 000003
【図２】
2018173737.tif 000004
【図３】
2018173737.tif 000005
【図４】
2018173737.tif 000006
【図５】
2018173737.tif 000007
【図６】
2018173737.tif 000008
【図７】
2018173737.tif 000009
【図８】
2018173737.tif 000010
【図９】
2018173737.tif 000011
【図１０】
2018173737.tif 000012
【図１１】
2018173737.tif 000013